(57)【特許請求の範囲】
【請求項１】
浴槽内壁面に浴槽内に突出するように配置される槽内突出部を備え、前記槽内突出部の周側壁の両側に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち一方の流路に吸い込まれて浴槽外に流出されるとともに、浴槽外から他方の流路に供給されたお湯が他方の開口から浴槽内に吐出するようにした浴槽用給湯口アダプターであって、
前記槽内突出部における前壁の前面側に、一端口および他端口を有する吐出側の補助回路が設けられ、
前記吐出側の補助回路の一端口が前記第１，第２流路のうち少なくとも吐出側の流路に連通し、かつ他端口が前記第１，第２開口のうち吐出側の開口の近傍において前記槽内突出部の外側に開放され、
前記吐出側の補助回路の他端口が、前記吐出側の開口に対しほぼ同じ方向に向けて開口され、前記吐出側の開口が閉塞された際に、お湯が前記吐出側の流路から前記吐出側の補助回路を通って、その回路の他端口から吐出するようにしたことを特徴とする浴槽用給湯口アダプター。
【請求項２】
前記槽内突出部における前壁の前面側に、一端口および他端口を有する吸込側の補助回路が設けられ、
前記吸込側の補助回路の一端口が吸込側の流路に連通し、かつ他端口が吸込側の開口の近傍において前記槽内突出部の外側に開放され、
前記吸込側の補助回路の他端口が、前記吸込側の開口に対しほぼ同じ方向に向けて開口され、前記吸込側の開口が閉塞された際に、お湯が前記吸込側の補助回路の他端口から流入されて前記吸込側の補助回路を通って、その回路の一端口から前記吸込側の流路に吸い込まれるようにした請求項１に記載の浴槽用給湯口アダプター。
【請求項３】
前記槽内突出部を覆うようにフィルター部材が設けられ、
前記補助回路は、前記槽内突出部の前壁と、その前壁の前面に設けられたリブと、前記フィルター部材に設けられ、かつお湯の通過を遮る目隠し部と、で囲まれて形成されている請求項１または２に記載の浴槽用給湯口アダプター。
【請求項４】
前記補助回路の一端口は、前記槽内突出部の前壁に形成された圧抜き孔によって構成され、
前記フィルター部材を取り外した状態では、前記圧抜き孔が前方に開放されている請求項３記載の浴槽用給湯口アダプター。
【請求項５】
前記槽内突出部の前壁裏面側における前記圧抜き孔よりも吐出方向に対し上流側に、お湯が圧抜き孔を流通するのを制限するための流動制限突起が設けられている請求項４に記載の浴槽用給湯口アダプター。
【請求項６】
前記槽内突出部の前壁前面に、前記フィルター部材の内側を、前記第１開口が配置される領域と、前記第２開口が配置される領域とに２分割する仕切壁が設けられている請求項３〜５のいずれか１項に記載の浴槽用給湯口アダプター。
【発明の詳細な説明】
【技術分野】
【０００１】
この発明は、浴槽の壁部に給湯用として取り付けられる浴槽用給湯口アダプターに関する。
【背景技術】
【０００２】
浴槽の側壁に取り付けられる給湯口アダプターは、内部にお湯の流路が設けられた流路仕切部材を備えている。この流路仕切部材の前部には、浴槽内壁面から突出する態様に配置される円盤状の槽内突出部が設けられており、この槽内突出部に、２つの開口が設けられている。そして特許文献１，２に示すような弁無しの無極性タイプと称される給湯口アダプターでは、追い焚き時に、２つの開口のうち一方の開口（吸込口）から浴槽内のお湯が吸引されて室外の給湯機に戻されるとともに、給湯機からのお湯が他方の開口（吐出口）から浴槽内に供給されるようになっている。
【先行技術文献】
【特許文献】
【０００３】
【特許文献１】特許第４７７４６５９号
【特許文献２】特開２００３−９０６２８号公報
【発明の概要】
【発明が解決しようとする課題】
【０００４】
上記のような給湯口アダプターに接続される給湯機や外管等からは、湯垢等の異物が発生することがあるが、その異物は、追い焚き時に、給湯口アダプターの吐出側の開口（吐出口）から吐出する。このため、給湯口アダプターを、フィルター部材（カバー部材）を取り付けた状態で使用する場合、湯はり時に吐出口から吐出する湯垢等の異物が、フィルター部材の内部に付着し、フィルター部材における吐出口に対応する部分にゴミ詰まりが発生する。このようなゴミ詰まり等によって吐出口が閉塞されると、吐出口からお湯が吐出し難く、浴槽内へのお湯の供給を十分に行うことができない、という課題が発生する。
【０００５】
またゴミ詰まり等により吐出口が部分的に閉塞されると、お湯が吐出口から散乱して吐出されることがあり、そうすると、お湯が浴槽内をスムーズに循環せず、十分な撹拌効果が得られない、という課題もあった。
【０００６】
この発明は、上記の課題に鑑みてなされたものであり、吐出側の開口にゴミ詰まり等が発生しても、お湯が浴槽内に確実に供給できて、良好な撹拌効果も得ることができる浴槽用給湯口アダプターを提供することを目的とする。
【課題を解決するための手段】
【０００７】
上記課題を解決するため、本発明は、以下の手段を備えるものである。
【０００８】
［１］浴槽内壁面に浴槽内に突出するように配置される槽内突出部を備え、前記槽内突出部の周側壁の両側に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち一方の流路に吸い込まれて浴槽外に流出されるとともに、浴槽外から他方の流路に供給されたお湯が他方の開口から浴槽内に吐出するようにした浴槽用給湯口アダプターであって、
前記槽内突出部における前壁の前面側に、一端口および他端口を有する吐出側の補助回路が設けられ、
前記吐出側の補助回路の一端口が前記第１，第２流路のうち少なくとも吐出側の流路に連通し、かつ他端口が前記第１，第２開口のうち吐出側の開口の近傍において前記槽内突出部の外側に開放され、
前記吐出側の補助回路の他端口が、前記吐出側の開口に対しほぼ同じ方向に向けて開口され、前記吐出側の開口が閉塞された際に、お湯が前記吐出側の流路から前記吐出側の補助回路を通って、その回路の他端口から吐出するようにしたことを特徴とする浴槽用給湯口アダプター。
【０００９】
［２］前記槽内突出部における前壁の前面側に、一端口および他端口を有する吸込側の補助回路が設けられ、
前記吸込側の補助回路の一端口が吸込側の流路に連通し、かつ他端口が吸込側の開口の近傍において前記槽内突出部の外側に開放され、
前記吸込側の補助回路の他端口が、前記吸込側の開口に対しほぼ同じ方向に向けて開口され、前記吸込側の開口が閉塞された際に、お湯が前記吸込側の補助回路の他端口から流入されて前記吸込側の補助回路を通って、その回路の一端口から前記吸込側の流路に吸い込まれるようにした前項１に記載の浴槽用給湯口アダプター。
【００１０】
［３］前記槽内突出部を覆うようにフィルター部材が設けられ、
前記補助回路は、前記槽内突出部の前壁と、その前壁の前面に設けられたリブと、前記フィルター部材に設けられ、かつお湯の通過を遮る目隠し部と、で囲まれて形成されている前項１または２に記載の浴槽用給湯口アダプター。
【００１１】
［４］前記補助回路の一端口は、前記槽内突出部の前壁に形成された圧抜き孔によって構成され、
前記フィルター部材を取り外した状態では、前記圧抜き孔が前方に開放されている前項３記載の浴槽用給湯口アダプター。
【００１２】
［５］前記槽内突出部の前壁裏面側における前記圧抜き孔よりも吐出方向に対し上流側に、お湯が圧抜き孔を流通するのを制限するための流動制限突起が設けられている前項４に記載の浴槽用給湯口アダプター。
【００１３】
［６］前記槽内突出部の前壁前面に、前記フィルター部材の内側を、前記第１開口が配置される領域と、前記第２開口が配置される領域とに２分割する仕切壁が設けられている前項３〜５のいずれか１項に記載の浴槽用給湯口アダプター。
【００１４】
なお本発明においては、以下の手段を採用することができる。
【００１５】
［７］浴槽内壁面に浴槽内に突出するように配置される槽内突出部を備え、前記槽内突出部の外壁に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち一方の流路に吸い込まれて浴槽外に流出されるとともに、浴槽外から他方の流路に供給されたお湯が他方の開口から浴槽内に吐出するようにした浴槽用給湯口アダプターであって、
第１，第２流路のうち少なくとも吸込側の流路における吸込側の開口の近傍に、ストレーナが設けられ、
前記ストレーナは、流路内周面において対向し合う２つの対向面のうち、一方の対向面に、他方の対向面側に向けて突出し、かつ流路を横切る方向に沿って所定の間隔おきに設けられた複数の一方突起と、前記他方の対向面に、前記一方の対向面側に向けて突出し、かつ前記複数の一方突起の各間に対応してそれぞれ設けられた複数の他方突起と、を備え、
前記複数の一方突起および前記複数の他方突起間に、前記ストレーナの通水部として機能する隙間が形成されていることを特徴とする浴槽用給湯口アダプター。
【００１６】
［８］浴槽内壁面に浴槽内に突出するように配置される槽内突出部を備え、前記槽内突出部の周側壁の両側に第１，第２開口が設けられるとともに、その第１，第２開口に対応して、前記槽内突出部の内部に第１，第２流路が設けられ、前記第１，第２開口のうち一方の開口から吸い込まれた浴槽内のお湯が、前記第１，第２流路のうち一方の流路に吸い込まれて浴槽外に流出されるとともに、浴槽外から他方の流路に供給されたお湯が他方の開口から浴槽内に吐出するようにした浴槽用給湯口アダプターであって、
前記槽内突出部の前壁における前記第１，第２開口のうち少なくとも吐出側の開口の縁部に、前記第１流路，第２流路のうち吐出側の流路内を前方に開放する吐出側の前方開放部が設けられていることを特徴とする浴槽用給湯口アダプター。
【発明の効果】
【００１７】
発明［１］の浴槽用給湯口アダプターによれば、吐出側となる開口（吐出口）がフィルター部材のゴミ詰まり等によって閉塞されて、お湯が吐出し難くなった場合には、お湯は補助回路を通ってその他端口から吐出するため、お湯を浴槽内に確実に供給することができる。その上さらに、補助回路の他端口から吐出したお湯は、吐出口から吐出するお湯と同じ方向、つまり側方に吐出するため、そのお湯は浴槽内を内周側面に沿って大きく回り込むように対流し、十分な撹拌効果を得ることができる。
【００１８】
発明［２］の浴槽用給湯口アダプターによれば、吸込側となる開口（吸込口）が閉塞された場合であっても、浴槽内のお湯が補助回路を通って吸込側の流路に吸い込まれるため、お湯の吸込を支障なく行うことができる。
【００１９】
発明［３］の浴槽用給湯口アダプターによれば、槽内突出部と、フィルター部材との協同で補助回路を形成するものであるため、例えば槽内突出部の前面に、フィルター部材とは別に補助回路を形成する場合等と比較して、補助回路を簡単に形成することができる。
【００２０】
発明［４］の浴槽用給湯口アダプターによれば、補助回路の一端口を、槽内突出部の前壁に形成した圧抜き孔によって構成しているため、フィルター部材を外した状態で、吸込側となる開口（吸込口）から髪の毛が吸い込まれた際には、圧抜き孔から浴槽内のお湯が吸い込まれることにより、吸引力が軽減されて、髪の毛を簡単に抜き取ることができる。
【００２１】
発明［５］の浴槽用給湯口アダプターによれば、流動制限突起によって、お湯が圧抜き孔を流通するのを制限するものであるため、ゴミ詰まり等のない通常状態では、正常通り、第１，第２開口を通じてお湯の吐出／吸込を適切に行うことができ、通常動作をスムーズに安定した状態で行うことができる。
【００２２】
発明［６］の浴槽用給湯口アダプターによれば、フィルター部材の内部が仕切壁によって吐出側と吸込側とに２分割されているため、吐出口や補助回路他端口から吐出したお湯の一部がフィルター部材の内部で対流したとしても、そのお湯が吸込口等から吸い込まれるという不具合を確実に防止することができる。
【図面の簡単な説明】
【００２３】
【図１】図１はこの発明の実施形態である浴槽用給湯口アダプターを示す側面断面図である。
【図２】図２は実施形態の給湯口アダプターを分解して示す斜視図である。
【図３】図３は実施形態の給湯口アダプターにおける雄ねじ部材の一部を拡大して示す斜視図である。
【図４】図４は実施形態における給湯口アダプターの流路仕切部材をフィルター取付状態で示す側面断面図である。
【図５Ａ】図５Ａは実施形態の流路仕切部材を前蓋取外状態で示す正面図である。
【図５Ｂ】図５Ｂは実施形態の流路仕切部材を前蓋取外状態で示す側面図である。
【図５Ｃ】図５Ｃは実施形態の流路仕切部材を前蓋取外状態で示す側面断面図である。
【図５Ｄ】図５Ｄは実施形態の流路仕切部材を前蓋取外状態で示す下面図である。
【図６】図６は実施形態の流路仕切部材を示す背面図である。
【図７Ａ】図７Ａは実施形態における流路仕切部材の前蓋を示す正面図である。
【図７Ｂ】図７Ｂは実施形態における流路仕切部材の前蓋を示す裏面図である。
【図８Ａ】図８Ａは実施形態の給湯口アダプターの開口周辺を拡大して示す側面断面図である。
【図８Ｂ】図８Ｂは実施形態の給湯口アダプターにおけるお湯の流れを説明するための側面断面図である。
【図９】図９は実施形態の給湯口アダプターにおけるストレーナを説明するための正面図である。
【図１０Ａ】図１０Ａは実施形態の給湯口アダプターにおけるストレーナを吐出方向から見た図である。
【図１０Ｂ】図１０Ｂは実施形態の給湯口アダプターにおけるストレーナを分解した状態で吐出方向から見た図である。
【図１１】図１１は実施形態の給湯口アダプターにおけるストレーナの一方突起を示す図であって、同図（ａ）は正面図、同図（ｂ）は下面図、同図（ｃ）は側面図である。
【図１２】図１１は実施形態の給湯口アダプターにおけるストレーナの他方突起を示す図であって、同図（ａ）は正面図、同図（ｂ）は下面図、同図（ｃ）は側面図である。
【図１３Ａ】図１３Ａは実施形態の給湯口アダプターにおけるフィルター部材を示す正面図である。
【図１３Ｂ】図１３Ｂは実施形態の給湯口アダプターにおけるフィルター部材を示す背面図である。
【発明を実施するための形態】
【００２４】
図１，２はこの発明の実施形態である浴槽用給湯口アダプターを示す図である。両図に示すように、この実施形態の給湯口アダプターは、浴槽の側壁Ｗに設けられた取付孔Ｈに組み付けられる。この給湯口アダプターは、室外の給湯機から供給されたお湯を浴槽内に供給する湯はり処理の他に、浴槽内のお湯（水）を吸い込んで室外の給湯機に送り、そこで再加熱して、高温のお湯を浴槽内に戻すようにした追い焚き処理を行えるものである。
【００２５】
なおこの給湯口アダプターは、以下に詳述するように、このアダプターが備える２つの外管接続部１ａ，１ｂに対して、給湯機につながる往き管および戻り管のどちらを接続しても使用可能な、いわゆる無極性タイプのものである。さらにこの給湯口アダプターは、内部に、逆流防止弁等のお湯の流動を制御するための流動制御弁が設けられない弁無しタイプのものである。
【００２６】
本実施形態の給湯口アダプターは、槽外取付部材１と、雄ねじ部材２と、流路仕切部材３と、カバー部材としてのフィルター部材９とを基本的な構成要素として備えている。なお、本明細書の説明においては、給湯口アダプターの軸心方向に沿って浴槽に対して内側（図１の左側）を「前側」または「正面側」とし、浴槽に対して外側（図１の右側）を「後側」または「裏面側」として説明する。
【００２７】
図１，２に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の後端閉塞壁に設けられる管状の第１，第２外管接続部１ａ，１ｂとを一体に有している。
【００２８】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００２９】
外筒部１２の前部内周面には、雄ねじ部材２をねじ込んで固定するための雌ねじが刻設されている。
【００３０】
槽外取付部材１のフランジ部１５の外周縁部には、そのフランジ部１５と浴槽外壁面との間の水密を図るための合成樹脂製のパッキン８２が取り付けられている。
【００３１】
図１，２に示すように雄ねじ部材２は、前後両端が開放された円筒形状の胴部２１と、その胴部２１の前端外周に設けられた平板リング状のフランジ部２５とを一体に有する鍔付き円筒形状に形成されている。
【００３２】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００３３】
図２，３に示すようにフランジ部２５の前面側には、周方向に沿って所定の間隔おきに複数のロック凹部２６が形成されている。
【００３４】
さらにフランジ部２５の外周縁部には、周方向に間隔をおいて複数の係止溝２７が形成されている。各係止溝２７は、前面側（入口側）において周方向の一端のみが開放されるとともに、後面側（奥側）において周方向の全域が開放されており、側方（外径方向）から見た状態においてＬ字形に形成されている。
【００３５】
雄ねじ部材２におけるフランジ部２５の後面側（裏面側）には、浴槽内壁面との間に介在されるように、合成ゴム製のリング状パッキン８３が設けられている（図１参照）。
【００３６】
そして、槽外取付部材１のフランジ部１５が、浴槽の外壁面における取付孔Ｈの周縁部に沿うように配置された状態で、雄ねじ部材２のフランジ部２５が、パッキン８３を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽側壁Ｗにおける取付孔周縁部が挟持されて、両部材１，２が浴槽側壁Ｗに貫通状態に組み付けられる。
【００３７】
図４〜６に示すように、流路仕切部材３は、軸心方向（前後方向）に延びる細長い円筒形状の円筒部３１と、その円筒部３１の前端部に設けられた略円盤状の槽内突出部４とを有している。
【００３８】
槽内突出部４は、内部に複数の流路が設けられる中空構造を有しており、正面視で円形の後壁４１と、後壁４１の前面側外周を囲うようにして一体に形成された周側壁４２と、前面の所要部分を閉塞する前壁としての前蓋５とを備えている。
【００３９】
円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴部２１の内部に配置されるものであり、円筒部３１および胴部２１間の環状空間と、それに連通する槽外取付部材１における内筒部１１および外筒部１２間の環状空間とによって、外側流路Ｂが形成される。
【００４０】
槽内突出部４の後壁４１には、円筒部３１に対応して、第１連通孔４１ａが形成されるとともに、円筒部３１の側方に対応して、円弧状の第２連通孔４１ｂが形成されている。さらに周側壁４２の下部両側には、第１，第２開口４２ａ，４２ｂが形成されている。
【００４１】
図５Ａ等に示すように後壁４１の前面側には、複数の仕切壁４３が形成されており、この仕切壁４３によって、槽内突出部４内に、互いに独立する第１，第２流路４３ａ，４３ｂが形成されている。
【００４２】
第１流路４３ａは、第１連通孔４１ａから第１開口４２ａにかけて形成されており、第１連通孔４１ａを介して、槽内突出部４の後方における円筒部３１の内側（内側流路Ａ）に連通されるとともに、第１開口４２ａを介して、外部（浴槽内）に開放されている。
【００４３】
第２流路４３ｂは、第２連通孔４１ｂから第２開口４２ｂにかけて形成されており、第２連通孔４１ｂを介して、槽内突出部４の後方における円筒部３１の外側（外側流路Ｂ）に連通されるとともに、第２開口４２ｂを介して、外部（浴槽内）に開放されている。
【００４４】
また後壁４１の前面側における中央上部には、ロックピン取付部４４が形成されている（図５Ａ等参照）。
【００４５】
さらに後壁４１の前面側における第１，第２流路４３ａ，４３ｂの上下には、上記ロックピン取付部４４の部分を除いて、上下方向に延びる仕切壁部分４５，４５が形成されている。
【００４６】
この仕切壁部分４５，４５は、前蓋５に設けられた後述の仕切壁部分５５と協同で、槽内突出部４の前面に上下方向に連続する仕切壁が形成されるようになっている。
【００４７】
一方、図５Ｃ，６に示すように、槽内突出部４の周側壁４２における後端部には、全周にわたって後方へ突出する後方突縁部４６が設けられており、その後方突縁部４６の内周側の数箇所に係止突起４７が周方向に間隔をおいて突設されている。
【００４８】
槽内突出部４における周側壁４２の外周側面には、周方向に沿って間隔をおいて複数の係止溝４８が形成されている。各係止溝４８は、前面側（入口側）において周方向の一端のみが開放されるとともに、後面側（奥側）において周方向に沿って延びるように形成されており、側方（外径方向）から見た状態において略Ｌ字形に形成されている。
【００４９】
図７Ａ，７Ｂに示すように、上記前蓋５は、正面視において略山型に形成されており、第１，２流路４３ａ，４３ｂの前面側を閉塞するようにして取り付けられている。
【００５０】
図８Ａに示すように、前蓋５の両側縁部は、切り欠かれるように形成されて、後壁４１の周縁部よりも内側（軸心側）に配置されている。これにより、前壁５の両側縁部の外側に、第１，第２流路４３ａ，４３ｂに連通し、かつ前方に向けて開放する第１，第２前方開放部４９ａ，４９ｂが形成されている。各前方開放部４９ａ，４９ｂは、対応する開口４２ａ，４２ｂに連通連続しており、前方開放部４９ａ，４９ｂと、開口４２ａ，４２ｂとによって、前方から側方（径方向外側）にかけての広い範囲に開放する開口部が形成される。
【００５１】
また図２，５Ａ，７Ａに示すように、前蓋５の前面における左右方向の中間位置には、上下方向に連続する仕切壁部分５５が前方へ突出状に形成されており、この仕切壁部分５５と、上記仕切壁部分４５とで既述したように仕切壁が形成されるようになっている。
【００５２】
図５Ａ，９に示すように、第１，２流路４３ａ，４３ｂの開口近傍における内周面の後面には、換言すると、第１，２流路４３ａ,４３ｂの開口近傍における後壁４１の前面には、流路４３ａ，４３ｂを周方向に沿って所定の間隔おきに複数の一方突起７１が形成されている。各一方突起７１は、互いに並行で、前方に向けて突出するように形成されており、図１０Ｂに示すように吐出方向の下流側から見た状態では、全体として、歯先が前方（図１０Ｂでは上方）に向いた櫛状に形成されている。
【００５３】
各一方突起７１は、各先端が後壁４１と前蓋５との間の中間位置よりもやや前蓋５側に位置するように突出寸法が設定されている。
【００５４】
ここで、本実施形態においては、流路４３ａ，４３ｂの内周面における前面および後面が、対向し合う２つの対向面であり、前面が他方の対向面を構成し、後面が一方の対向面を構成している。さらに周方向は、流路４３ａ，４３ｂを横切る方向に相当する。
【００５５】
図１１に示すように、一方突起７１における吐出方向（外向き方向）Ｄ１に対し上流側の端部には、ガイド部７２が形成されている。このガイド部７２は、周方向（図１１（ａ）の上下方向）の寸法を幅寸法としたとき、吐出方向Ｄ１に対し上流側に向かうに従って幅寸法が次第に細くなるようにテーパー形状に形成される。さらにこのガイド部７２は、吐出方向Ｄ１に対し上流側に向かうに従って突出寸法（図１１（ｂ）の上下方向）が次第に小さくなるように形成されている。
【００５６】
また、一方突起７１における吸込方向（内向き方向）Ｄ２に対し上流側の端部は、吸込方向Ｄ２に対し垂直な平坦面７３に形成されている。
【００５７】
図７Ｂ，９に示すように、上記一方突起７１の各間に対応して、第１，第２流路４３ａ，４３ｂの開口近傍における内周面の前面には、換言すると、第１，第２流路４３ａ，４３ｂの開口近傍における前蓋５の後面には、周方向に沿って所定の間隔おきに複数の他方突起７５が形成されている。各他方突起７５は、互いに並行で、後方に向けて突出するように形成されており、図１０Ｂに示すように吐出方向Ｄ１の下流側から見た状態では、全体として、歯先が後方（図１０Ｂでは下方）に向いた櫛状に形成されている。
【００５８】
各他方突起７５は、各先端が後壁４１と前蓋５との間の中間位置よりもやや後壁４１側に位置するように突出寸法が設定されている。そして、各他方突起７５が、上記複数の一方突起７１の各間に配置されて、他方突起７５と一方突起７１とが交互に配置されている。これにより、複数の一方突起７１および複数の他方突起７５間に、吐出方向Ｄ１の下流側から見た状態（図１０Ａ参照）において、ストレーナ７の通水部７０として機能する略矩形波（方形波）状の隙間が形成される。
【００５９】
さらに図１２に示すように、他方突起７５における吐出方向（外向き方向）Ｄ１に対し上流側の端部には、ガイド部７６が形成されている。このガイド部７６は、周方向（図１２（ａ）の上下方向）の寸法を幅寸法としたとき、吐出方向Ｄ１に対し上流側に向かうに従って幅寸法が次第に細くなるようにテーパー形状に形成される。さらにこのガイド部７６は、吐出方向Ｄ１に対し上流側に向かうに従って突出寸法（図１２（ｂ）の上下方向）が次第に小さくなるように形成されている。
【００６０】
また、他方突起７５における吸込方向（内向き方向）Ｄ２に対し上流側の端部は、吸込方向Ｄ２に対し垂直な平坦面７７に形成されている。
【００６１】
ここで、本実施形態においては、複数の一方突起７１および複数の他方突起７５によってストレーナ７が構成されている。
【００６２】
図７Ａ，７Ｂ，８Ａに示すように前蓋５には、他方突起７５における吐出方向Ｄ１に対し上流側に対応して、複数の第１，第２圧抜き孔５１ａ，５１ｂが周方向に並んで形成されている。各圧抜き孔５１ａ，５１ｂは、前蓋５を前後に貫通するように形成されており、この圧抜き孔５１ａ，５１ｂによって、流路仕切部材３における第１，第２流路４３ａ，４３ｂと、流路仕切部材３の前方外側との間が連通されている。
【００６３】
前蓋５の前面における第１，第２圧抜き孔５１ａ，５１ｂの周辺には、リブ５３，５３が前方に突出するように形成される。各リブ５３，５３は、前蓋５の両側縁部における第１，第２開口４２ａ，４２ｂに対応する部分を除いて、各圧抜き孔５１ａ，５１ｂを取り囲むように形成されている。そして後述するように、各リブ５３，５３で囲まれた部分が、第１，第２補助回路５０ａ，５０ｂとして機能するとともに、第１，第２圧抜き孔５１ａ，５１ｂが補助回路５０ａ，５０ｂの一端口として機能する。さらに補助回路５０ａ，５０ｂは、上記リブ５３，５３が形成されていない部分、つまり前蓋５の両側縁部において、側方（径方向外側）に開放されており、この開放部が、圧抜き回路５０ａ，５０ｂの他端口５２ａ，５２ｂとして構成される。
【００６４】
また前蓋５の裏面における圧抜き孔５１ａ，５１ｂの吐出方向Ｄ１に対し上流側（内側）には、圧抜き孔５１ａ，５１ｂが形成されている領域の範囲内において、周方向に連続するリブ状の流動制限突起５４が後方に突出するように形成されている。
【００６５】
以上の構成の流路仕切部材３を、浴槽側壁Ｗに組み付けられた上記槽外取付部材１および雄ねじ部材２に組み付けるには、図１，２に示すように、流路仕切部材３における槽内突出部４の後方突縁部４６を、雄ねじ部材２のフランジ部２５に前面側から外嵌しつつ、流路仕切部材３の係止突起４７を、雄ねじ部材２側の係止溝２７に前面側から挿入する。続けて、流路仕切部材３を周方向に少量捻回操作することにより、流路仕切部材３の係止突起４７を、係止溝２７の入口側から周方向に位置ずれした奥端位置に侵入させて、流路仕切部材３を雄ねじ部材２に対して前方へ抜け出し不能とする。
【００６６】
その後、流路仕切部材３のロックピン取付部４４に取り付けたロックピン（図示省略）を押し込み、そのロックピンの先端を、雄ねじ部材２において対応するいずれかのロック凹部２６に嵌め込む。これにより、流路仕切部材３は、雄ねじ部材２に対し捻回不能となるため、流路仕切部材３の雄ねじ部材２との組付が意に反して解除されるのを防止することができる。
【００６７】
この組付状態では、流路仕切部材３における円筒部３１の外周面に設けられたＯリング８１（図１参照）によって、その円筒部３１と、槽外取付部材１の内筒部１１との間の水密が図られるとともに、流路仕切部材３の槽内突出部４の後面に設けられたパッキン８４によって、流路仕切部材３の槽内突出部４と、雄ねじ部材２のフランジ部２５との間の水密が図られるようになっている。
【００６８】
なお図２，３等に示すように、雄ねじ部材２のロック凹部２６および係止溝２７は、周方向に沿って複数設けられており、各ロック凹部２６および各係止溝２７のいずれにも、流路仕切部材３の上記ロックピン５よび係止突起４７を係合できるようになっている。従って流路仕切部材３は、所望の回転位置で取り付けることができるようになっている。本実施形態においては、流路仕切部材３を、その２つの開口４２ａ，４２ｂが下部両側に配置されるような回転位置で取り付けている。
【００６９】
このように流路仕切部材３を組み付けた状態においては、内側流路Ａが、流路仕切部材３の第１連通孔４１ａを通じて、流路仕切部材３の第１流路４３ａに連通されるとともに、外側流路Ｂが、流路仕切部材３の第２連通孔４１ｂを通じて、流路仕切部材３の第２流路４３ｂに連通されている。従って、室外給湯機から槽外取付部材１の第１外管接続部１ａに供給されたお湯（水）は、内側流路Ａおよび第１流路４３ａを通って、第１開口４２ａから浴槽内に吐出するようになっている。さらに室外給湯機から槽外取付部材１の第２外管接続部１ｂに供給されたお湯（水）は、外側流路Ｂおよび第２流路４３ｂを通って、第２開口４２ｂから浴槽内に吐出するようになっている。
【００７０】
なお本実施形態の給湯口アダプターにおいて、槽外取付部材１、雄ねじ部材２および流路仕切部材３によって構成されるもの、換言すればフィルター部材９が取り付けられない状態のものをアダプター本体と称する。
【００７１】
図１３Ａ，１３Ｂ等に示すようにフィルター部材９は、金属製薄板のプレス成形品によって構成されたフィルター本体９０を備えている。このフィルター本体９０は、円筒状の周側壁９２と、その周側壁９２の前面側に設けられた前壁９１とを有している。
【００７２】
本実施形態のフィルター本体９０においては、周側壁９２と、前壁９１との間のコーナー部分は、曲率半径が大きい比較的緩やかな円弧状に形成されている。もっとも本発明においては、フィルター本体９０の周側壁９２と、前壁９１との間のコーナー部分を、曲率半径の小さいものに形成するようにしても良い。さらにフィルター本体９０の周側壁９２と、前壁９１とのコーナー部分を、面取り状の傾斜部に形成するようにしても良い。さらにフィルター本体９０を、断面が半楕円形状や半長円形状等のドーム形状に形成するようにしても良い。
【００７３】
またフィルター本体９０には、その前壁９１における後述の目隠し部９３，９３を除くほぼ全域と、周側壁９２における前壁９１近傍の領域とに対応して、多数の小さい円形孔からなる通水孔９４が形成される。
【００７４】
図８Ａに示すように、本実施形態において、目隠し部９３，９３は、上記流路仕切部材３の圧抜き孔５１ａ，５１ｂに対応しており、フィルター本体９０の前壁９１における両側部下側に周方向に沿って配置されている。なお言うまでもなく、目隠し部９３，９３においては、お湯が通過できないようになっている。
【００７５】
図１３Ｂに示すようにフィルター本体９０における周側壁９２の内側には、硬質合成樹脂製の環状支持枠９７が適合状態に嵌め込まれた状態で固定されて、フィルター部材９が構成されている。
【００７６】
フィルター部材９における環状支持枠９７の内周縁部には、流路仕切部材４の係止溝４８に対応して、周方向に所定の間隔おきに係止突起９８が内側に突出するように形成されている。
【００７７】
図１，２に示すように、この構成のフィルター部材９を、アダプター本体に組み付けるには、フィルター部材９の周側壁９２を、流路仕切部材３の槽内突出部４にその前面側から外嵌しつつ、フィルター部材９の係止突起９８を、槽内突出部４側の係止溝４８に前面側から挿入する。その後、フィルター部材９を周方向に少量捻回操作することにより、フィルター部材９の係止突起９８を、係止溝４８の入口側から周方向に位置ずれした奥端位置に侵入させる。これにより、フィルター部材９を槽内突出部４に対し前方へ抜け止め不能とした状態に組み付ける。
【００７８】
なお必要に応じて、フィルター部材９を上記と反対方向に捻回操作して、フィルター部材９の係止突起９８を、係止溝４８の奥端位置から入口側に移動させれば、フィルター部材９を槽内突出部４から取り外すことができるようになっている。
【００７９】
ここで、本実施形態においては、フィルター部材９をアダプター本体に組み付けた状態においては、流路仕切部材３の槽内突出部４に設けられた仕切壁部分４５，５５によって、槽内突出部４の前面とフィルター９との間（フィルター部材内部）が左右に分離されている。このため後述するように、第１，第２開口４２ａ，４２ｂのうち、一方の開口から吐出したお湯が、フィルター部材９の内部を通って直接、他方の開口に吸い込まれるような不具合、いわゆるショートサーキットを確実に防止することができる。
【００８０】
さらに図８Ａに示すように、流路仕切部材３の第１，第２開口４２ａ，４２ｂは、フィルター部材９の周側壁９２に対向して配置されるとともに、第１，第２開口４２ａ，４２ｂの前方側に位置する第１，第２前方開放部４９ａ，４９ｂは、フィルター部材９の前壁９１における目隠し部９３から前壁９１および周側壁９２間のコーナー部にかけての領域に対向して配置されている。これにより、第１，第２前方開放部４９ａ，４９ｂおよび第１，第２開口４２ａ，４２ｂからなる開口部は、前壁９１の目隠し部９３から周側壁９２にかけての領域に対向して配置される。
【００８１】
またフィルター部材９の目隠し部９３，９３は、流路仕切部材３の圧抜き孔５１ａ，５１ｂに対応して配置されており、流路仕切部材３の前蓋５に設けられた上記リブ５３，５３によって、目隠し部９３，９３と、流路仕切部材３の前蓋５との間に隙間が形成される。そして、その隙間におけるリブ５３，５３に囲まれた部分が、既述したように第１，第２補助回路５０ａ，５０ｂとして機能する。この第１，第２補助回路５０ａ，５０ｂは、その内側が圧抜き孔（圧抜き回路一端口５１ａ，５１ｂ）を介して、流路仕切部材３の第１，第２流路４３ａ，４３ｂに連通されるとともに、外側が前蓋５の外周縁部において、リブ５３，５３の形成されていない部分（圧抜き回路他端口）５２ａ，５２ｂを介して外部に開放されている。従って流路仕切部材３の第１，第２流路４３ａ，４３ｂが第１，第２補助回路５０ａ，５０ｂを介してそれぞれアダプター外部に開放されている。
【００８２】
さらに本実施形態において、第１，第２補助回路他端口５２ａ，５２ｂは、両側方に向けて開口しており、対応する第１，第２開口４２ａ，４２ｂに対し、ほぼ同じ方向に向けて開口している。つまり第１，第２補助回路他端口５２ａ，５２ｂの開口軸と、第１，第２開口４２ａ，４２ｂの開口軸とがほぼ平行に配置されている。
【００８３】
以上のように構成された本実施形態の給湯口アダプターは、既述したように室外給湯機と配管接続する際に、槽外取付部材１における２つの外管接続部１ａ，１ｂに対して、室外給湯機につながる往き管および戻り管のどちらを接続しても使用可能な無極性タイプのものである。例えば第１外管接続部１ａに往き管、第２外管接続部１ｂに戻り管を接続した状態において、追い焚き処理を行った場合には、給湯機から供給されるお湯が往き管および第１外管接続部１ａを通って内側流路Ａに導入され、さらにそのお湯が内側流路Ａおよび流路仕切部材３の第１流路４３ａを通って、図８Ｂの矢符Ｆ１に示すように、流路仕切部材３の第１開口４２ａおよびフィルター部材９の通水孔９４を通って浴槽内に供給される。
【００８４】
なお図８Ｂにおいては、発明の理解を容易にするため、お湯（水）の流れのみを矢符Ｆ１〜Ｆ５で示し、給湯口アダプターを構成する各部位の参照符号は図８Ａに示す通りである。
【００８５】
吸込側では、給湯機の吸引力によって、戻り管および外側流路Ｂが負圧に設定されるため、流路仕切部材３の第２流路４３ｂも負圧となる。従って、図８Ｂの矢符Ｆ２に示すように、浴槽内のお湯（水）は、フィルター部材９の通水孔９４および流路仕切部材３の第２開口４２ｂを通って、流路仕切部材３の第２流路４３ｂに吸い込まれて、さらにその湯が外側流路Ｂおよび戻り管を通って給湯機に戻される。
【００８６】
従ってこように配管接続された場合には、第１開口４２ａおよび第１流路４３ａが、吐出側の開口（吐出口）および吐出側の流路（吐出流路）として機能し、第２開口４２ｂおよび第２流路４３ｂが、吸込側（吸引側）の開口（吸込口、吸引口）および吸込側の流路（吸込流路、吸引流路）として機能する。
【００８７】
また、第２外管接続部１ｂに往き管、第１外管接続部１ａに戻り管を接続した状態で、追い焚き処理を行った場合には、上記とは逆方向に循環する。すなわち給湯機からのお湯が、往き管、第２外管接続部１ｂ、外側流路Ｂ、第２流路４３ｂ、第２開口４２ｂおよびフィルター部材９を通って浴槽内に供給されるとともに、浴槽内のお湯は、フィルター部材９、第１流路４３ａ、内側流路Ａ、第１外管接続部１ａおよび戻り管を通って給湯機に戻される。
【００８８】
従ってこのように配管接続された場合には、第２開口４２ｂおよび第２流路４３ｂが、吐出側の開口（吐出口）および吐出側の流路（吐出流路）として機能し、第１開口４２ａおよび第２流路４３ａが、吸込側の開口（吸込口、吸引口）および吸引側の流路（吸込流路、吸引流路）として機能する。
【００８９】
また本実施形態において、湯はり処理時には、給湯機から往き管および戻り管の双方にお湯が供給されて、そのお湯が第１，第２外管接続部１ａ，１ｂ、流路Ａ，Ｂ、第１，第２流路４３ａ，４３ｂ、第１，第２開口４２ａ，４２ｂおよびフィルター部材９を通って浴槽内に供給される。
【００９０】
以上のように構成された本実施形態の給湯口アダプターによれば、流路仕切部材３の開口４２ａ，４２ｂに、交互に配置された複数の一方突起７１および複数の他方突起７５によって、矩形波状の隙間（通水部７０）を有するストレーナ７を形成しているため、フィルター部材９を取り外した状態で使用した際、流路仕切部材３の開口４２ａ，４２ｂのうち吸込側の開口、例えば第２開口（吸込口）４２ｂから、入浴者の髪の毛等が吸い込まれようとしても、髪の毛がアダプター内部に吸い込まれてしまうのを防止することができる。
【００９１】
また一方突起７１および他方突起７５間の通水部７０は、連続する波形状に形成されているため、その通水部７０をお湯がスムーズに通過することにより、優れた通水性能（吸引性能）を得ることができる。
【００９２】
なお言うまでもなく、第１開口４２ａ側にも、一方突起７１および他方突起７５からなるストレーナ７を形成しているため、第１開口４２ａが吸込側の開口となった場合でも、上記と同様に、異物がアダプター内に侵入するのを防止することができるとともに、優れた通水性能を得ることができる。
【００９３】
また仮に、フィルター部材９を取り外した状態で、多量の髪の毛が吸込口４２ｂから吸い込まれたとしても、その髪の毛を簡単に抜き取ることできる。すなわち、髪の毛が吸い込まれて吸込口４２ｂが閉塞されると、一時的に、流路仕切部材３の第２流路（吸込流路）４３ｂ内の負圧が高くなり、吸引力が強くなるものの、流路仕切部材３の前蓋５に、吸込流路４３ｂに連通する第２圧抜き孔５１ｂを形成しているため、図８Ｂの矢符Ｆ３に示すように、負圧の上昇に伴って、槽内のお湯が圧抜き孔５０ｂから吸込流路４３ｂ内に吸い込まれる。これにより、吸込流路４３ｂ内の負圧が軽減されて、吸引力が低下するため、吸込口４２ｂに吸い込まれた髪の毛を、弱い力で無理なく簡単に抜き取ることができる。
【００９４】
さらに圧抜き孔５０ｂの周辺にリブ５３を形成しているため、吸込口４２ｂから髪の毛が吸い込まれたとしても、リブ５３によって、圧抜き孔５１ｂに髪の毛がまとわり付くのを防止することができ、圧抜き孔５１ｂからのお湯の吸込を確実に行うことができ、吸込口４２ｂに吸い込まれた髪の毛を、より一層簡単に簡単に抜き取ることができる。
【００９５】
なお言うまでもなく、流路仕切部材３の第１開口４２ａ側が吸込口となる場合であっても、その吸込口４２ａから髪の毛が吸い込まれた際には、第１圧抜き孔５１ａから槽内のお湯が吸い込まれることにより、負圧が軽減されるため、髪の毛を簡単に抜き取ることができる。
【００９６】
また本実施形態においては、アダプター本体にフィルター部材９が装着された際には、フィルター部材９の目隠し部９３によって、圧抜き孔５１ａ，５１ｂが覆われるため、圧抜き孔５１ａ，５１ｂからお湯が吸引され難くなるが、フィルター部材９が存在することによって、吸込口（開口４２ａまたは４２ｂ）に髪の毛等が吸い込まれることはないので、何ら不具合が生じることはない。
【００９７】
一方、本実施形態において、開口４２ａ，４２ｂに設けられるストレーナ７は、交互に配置された一方突起７１および他方突起７５を備え、両突起７１，７５間に波状の通水部７０を形成するものである。この波状の通水部７０は、連続するものであるため、既述したように髪の毛のような細長くて柔軟な繊維状の異物は通過できないものの、外管や給湯機内で発生する湯垢のような粒状の異物は、比較的容易に通過することができる。
【００９８】
従って、本実施形態においては、追い焚き時に吐出側となる開口、例えば第１開口（吐出口）４２ａ側に設けられたストレーナ７の内側に、湯垢等の異物が詰まって目詰まりが生じるのを防止することができる。すなわち、湯垢等の異物はお湯と共に、ストレーナ７の波状通水部７０を通過して吐出口４２ａから吐出するため、ストレーナ７の内側に、湯垢等のゴミが絡み付いて目詰まりが生じるのを有効に防止することができる。
【００９９】
特に本実施形態においては、ストレーナ７を構成する一方突起７１および他方突起７５における吐出方向Ｄ１の上流側の端部に、上流側に向かうに従って次第に細くなるテーパー状のガイド部７２，７６を形成しているため、そのガイド部７２，７６のテーパー面で案内されることによって、湯垢等のゴミは突起７１，７５間の通水部７０にスムーズに導かれて、その通水部７０を通り抜ける。従って、ストレーナ７の内側にゴミが絡み付いて目詰まりが発生するのをより確実に防止することができる。
【０１００】
その上さらに本実施形態においては、ガイド部７２，７５の突出寸法を、吐出方向Ｄ１に対し上流側に向かうに従って次第に小さくなるようにしているため、湯垢等を通水部７０により確実に導くことができ、湯垢等によるストレーナ内側のゴミ詰まりをより一層確実に防止することができる。
【０１０１】
ここで、フィルター部材９をアダプター本体に組み付けている場合には、湯はり時に、吐出口４２ａのストレーナ７を通って吐出した湯垢等のゴミが、フィルター部材９の内側に絡み付いて、フィルター部材９にゴミ詰まり（目詰まり）が発生するおそれがある。
【０１０２】
そこで、本実施形態においては、流路仕切部材３における前蓋５に、吐出口４２ａに対応して前方開放部４９ａを形成しているため、図８Ｂに示すように、フィルター部材９の周側壁９２の内側における吐出口４２ａに対応する部分にゴミＧが詰まったとしても、吐出口４２ａに向かうお湯は、図８Ｂの矢符Ｆ４に示すように、ゴミＧを避けて前方開放部４９ａを通り、さらにフィルター部材９の前壁９１と周側壁９２とのコーナー部およびその周辺を通って、正面から側方寄りの方向（斜め側方）に向けて放出される。従って、フィルター部材９の周壁９２の内側にゴミ詰まりが発生したとしても、お湯を確実に浴槽内に吐出することができ、ゴミ詰まりがあっても追い焚きや湯はりを確実に行うことができる。
【０１０３】
さらに前方開放部４９ａから吐出するお湯は、斜め側方に向けて吐出するため、そのお湯は浴槽内を大きく回り込むように対流し、十分な撹拌効果を得ることができ、温度ムラが発生するのを防止することができる。換言すれば、吐出口４２ａから吐出したお湯が、ほとんど対流せずに、吸込側の第２吐出口（吸込口）４２ｂから吸い込まれるようなショートサーキットを確実に防止することができる。
【０１０４】
その上さらに、前方開放部４９ａの前方には、フィルター部材９の目隠し部９３が配置されているため、前方開放部４９ａから吐出するお湯は、目隠し部９３に遮られて、正面（前方）ではなく、より確実に斜め側方に向けて吐出する。このため、上記の撹拌効果をより一層向上させることができ、温度ムラ等の発生を確実に防止することができる。
【０１０５】
ここで、ゴミ詰まり時に、前方開放部４９ａから吐出するお湯のお湯の一部が、フィルター部材９の内部を対流することがある。本実施形態においては、このお湯が、フィルター部材９の内部を通って、吸込口４２ｂ側に移動して吸込口４２ｂから吸い込まれるような不具合（ショートサーキット）を確実に防止することができる。すなわち本実施形態においては、流路仕切部材３の前面側に、フィルター部材９の内部を、吐出側と吸込側とに左右に分離する仕切壁４５，５５を形成しているため、吐出口４２ａ側からフィルター部材９の内部に吐出したお湯が、吸込口４２ｂのある吸込側に流動することはなく、上記ショートサーキットを有効に防止することができる。
【０１０６】
その上さらに本実施形態においては、フィルター部材９の内側における吐出口４２ａおよび前方開放部４９ａに対応する部分に多量のゴミＧが詰まって、前方開放部４９ａおよび吐出口４２ａ共にお湯が吐出し難くなったとしても、お湯の吐出を継続して行うことができる。すなわち本実施形態においては、吐出側となる第１流路（吐出流路）４３ａに対応させて、アダプター外部と連通する第１補助回路５０ａを形成しているため、フィルター部材９内のゴミ詰まりにより、吐出口４２ａおよび前方開放部４９ａからお湯がほとんど吐出しなくなったような場合には、吐出流路４３ａの水圧が上昇する。この水圧の上昇によって、図８の矢符Ｆ５に示すように、吐出流路４３ａ内のお湯が第１圧抜き孔（第１補助回路一端口）５１ａを通って第１補助回路５０ａに導入され、圧抜き回路他端口５２ａから流出されて、フィルター部材９を通って浴槽内に吐出する。このように吐出口４２ａおよび前方突出部４９ａの双方が詰まっても、吐出流路４３ａ内のお湯は、補助回路５０ａを通って浴槽内に吐出するため、不具合なく湯はりを継続することができる。
【０１０７】
しかも、本実施形態においては、補助回路５０ａの他端口５２ａを、吐出口４２ａと同方向、つまり側方に開放しているため、お湯は、補助回路他端口５２ａを介してフィルター部材９の側方から吐出する。こうして吐出したお湯は、浴槽の側壁内面に沿って流動するため、浴槽内を大きく対流するようになり、ショートサーキットをより確実に防止でき、この点においても、良好な撹拌効果をより確実に得ることができる。
【０１０８】
その上さらに、補助回路５０ａは、リブ５３によって仕切られて、容量の小さい狭い空間部となっているため、補助回路５０ａ内で水圧を十分に確保でき、お湯の流速を十分に確保することができる。このため、お湯が補助回路他端口５２ａから勢い良く吐出され、撹拌効果を一層向上させることができる。
【０１０９】
さらに本実施形態においては、追い焚き時に吸込側となる開口、例えば第２開口（吸込口）４２ｂの前方にも前方開放部４９ｂを形成しているため、その前方開放部４９ｂからも槽内のお湯が吸引される。つまり、その前方開放部４９ｂを介して、アダプターの前面側からお湯を吸引することができるため、お湯を前方から吸い込んで側方から吐出するという理想的なお湯の循環を行うことができ、撹拌効果をより一層向上させることができ、温度ムラの発生等をより一層確実に防止することができる。
【０１１０】
なお、フィルター部材９の内側に詰まったゴミＧは、既述したように、フィルター部材９をアダプター本体から取り外して、清掃すれば、簡単に取り除くことができる。
【０１１１】
また本実施形態においては、第１，第２流路４３ａ，４３ｂ側の双方に補助回路５０ａ，５０ｂを形成しているため、第２流路４３ｂ側が吐出側となったとしても、上記と同様、ゴミ詰まりに対しても、支障なくお湯を吐出させることができる。
【０１１２】
ここで、本実施形態においては、圧抜き孔５１ａ，５１ｂの孔径は、フィルター部材９の通水孔９４の孔径に対し同等もしくは大きく形成するのが良い。すなわち、圧抜き孔５１ａ，５１ｂの孔径が小さ過ぎる場合には、フィルター部材９の通水孔９４を通過した異物が、圧抜き孔５１ａ，５１ｂに詰まってしまうおそれがあるためである。具体的には、圧抜き孔５１ａ，５１ｂの孔径（内直径）は１．０ｍｍ程度に設定するのが良い。
【０１１３】
さらに、ストレーナ７における一方突起７１および他方突起７５間の隙間寸法（通水部７０の幅寸法）は、フィルター部材９の通水孔９４の孔径に対し同等もしくは大きく形成するのが良い。すなわち、通水部７０の幅寸法が小さ過ぎる場合には、フィルター部材９の通水孔９４を通過した異物が、通水部７０に詰まって、ストレーナ７に目詰まりが発生してしまうおそれがあるためである。具体的には通水部７０の幅寸法は１．０ｍｍ程度に設定するのが良い。
【０１１４】
また本実施形態において、吸込側となる開口、例えば第２開口（吸込口）４２ｂの周辺でゴミ詰まりが発生して、吸込口４２ｂからのお湯の吸込が不十分となった場合には、第２流路（吸込流路）４３ｂ内の負圧が上昇するため、第２補助回路５０ｂ内も負圧となる。従って第２補助回路５０ｂにその他端口５２ｂから浴槽内のお湯が吸い込まれ、そのお湯が第２補助回路５０ｂ、一端口５１ｂ、および第２流路（吸込流路）４３ｂを通って室外の給湯機へと供給される。このようにゴミ詰まり等により吸込口４２ｂからのお湯の吸込が不十分となっても、お湯を確実に吸い込んで循環させることができる。
【０１１５】
また本実施形態では、第１，第２流路４３ａ，４３ｂの内部において、前蓋５の裏面側における圧抜き孔５０ａ，５０ｂの吐出方向Ｄ１に対し上流側に、流動制限突起５４を形成しているため、その突起５４によって、流路４３ａ，４３ｂと補助回路５０ａ，５０ｂとの間のお湯の出入りが制限される。このため、ゴミ詰まり等のない通常状態では、お湯が補助回路５０ａ，５０ｂを通過するのを有効に防止でき、正常通り、開口４２ａ，４２ｂを介してお湯の吐出や吸込を確実に行うことができ、通常動作をスムーズに安定した状態で行うことができる。
【０１１６】
また本実施形態においては、流路仕切部材３の前蓋５の前面に形成したリブ５３によって、前蓋５とフィルター部材９との間に隙間を形成して補助回路５０ａ，５０ｂを形成するものである。このようにリブ５３をスペーサとして機能させることによって、補助回路５０ａ，５０ｂの隙間寸法を十分に確保できるため、補助回路５０ａ，５０ｂを介してお湯を吸い込んだり、吐出したりする場合、補助回路５０ａ，５０ｂ内の水圧が過度に大きくなったり小さくなったりするのを防止することができる。このため、目詰まり時等の緊急時に、補助回路５０ａ，５０ｂからの吐出や吸込を確実に行うことができ、上記の効果をより一層確実に得ることができる。
【０１１７】
なお、上記実施形態の給湯口アダプターにおいては、湯はり時に、往き管および戻り管の双方で浴槽内にお湯を供給するダブル搬送式のものを用いているが、それだけに限られず、本発明は、湯はり時に、往き管のみからお湯を浴槽内に供給するようにしたシングル搬送式の給湯口アダプターにも適用することができる。
【０１１８】
また上記実施形態においては、流路仕切部材３とフィルター部材９とで補助回路を形成する場合を例に挙げて説明したが、それだけに限られず、本発明においては、フィルター部材とは別に、流路仕切部材３側に補助回路を形成するようにしても良い。例えば流路仕切部材３の前面に、中空状の補助回路を一体に形成するようにしていも良い。この場合には言うまでもなく、フィルター部材に目隠し部を形成する必要はない。
【０１１９】
もっとも、流路仕切部材（槽内突出部）に補助回路を一体に形成する場合には、流路仕切部材の構成が複雑になり、製造が困難になるおそれがある。従って、上記実施形態のように、流路仕切部材とフィルター部材との協同で補助回路を形成することによって、それぞれの構成が簡素になり、製造を簡単に行うことができる。
【０１２０】
さらに上記実施形態においては、第１，第２流路４３ａ，４３ｂの双方に、ストレーナ７を設ける場合を例に挙げて説明したが、それだけに限られず、本発明においては、第１，第２流路のうち少なくとも吸込側の開口にストレーナを設けるようにすれば良い。
【０１２１】
さらに上記実施形態においては、吸込側および吐出側の双方に、補助回路５０ａ，５０ｂを形成する場合を例に挙げて説明したが、それだけに限られず、本発明においては、吐出側のみに、補助回路を形成するようにしても良い。
【０１２２】
さらに上記実施形態においては、吸込側および吐出側の双方に、前方開放部４９ａ，４９ｂを形成する場合を例に挙げて説明したが、それだけに限られず、本発明においては、吐出側のみに、補助回路を形成するようにしても良い。
【０１２３】
また上記実施形態においては、槽内突出部４の前蓋両側縁部に設けられる第１，第２前方開放部４９ａ，４９ｂを第１，第２開口４２ａ，４２ｂに連通接続させるようにしているが、それだけに限られず、本発明においては、第１，第２前方開放部を、第１，第２開口に対し連通しないように形成しても良い。例えば槽内突出部における前蓋の第１，第２開口の近傍に貫通孔を形成して、その貫通孔を、第１，第２前方開放部として構成するようにしても良い。
【０１２４】
また上記実施形態のストレーナ７においては、複数の一方突起７１の各間に対応して、各他方突起７５が配置され、一方突起７１と他方突起７５との先端同士が周方向に重なり合うようにして、一方突起７１と他方突起７５との間に周方向に連続する隙間が形成されないようにしているが、本発明は、それだけに限られるものではない。例えば本発明においては、一方突起と他方突起との先端同士が周方向に重なり合わずに、前後方向に離間して配置して、一方突起と他方突起との間に周方向に連続する隙間を形成するようにしても良い。要は本発明においては、複数の一方突起の各間に対応して、各他方突起がそれぞれ設けられていれば良い。
【０１２５】
また本発明においては、ストレーナ９を流路４３ａ，４３ｂに対し、着脱自在に取り付けるようにしても良い。例えば、ストレーナに流路に着脱自在な支持枠を設け、支持枠に一方突起および他方突起を設けておき、支持枠を流路に対し着脱することによって、ストレーナを流路に対し着脱できるようにすれば良い。
【産業上の利用可能性】
【０１２６】
この発明の浴槽用給湯口アダプターは、例えば一般家庭の浴槽に給湯用金具として利用することができる。
【符号の説明】
【０１２７】
４：槽内突出部
４２：周側壁（外壁）
５０ａ，５０ｂ：第１，第２補助回路
５１ａ，５１ｂ：第１，第２圧抜き孔（補助回路入口）
５２ａ，５２ｂ：補助回路出口
５３：リブ
５４：流動制限突起 
９：フィルター部材
９１：前壁
９２：周側壁
９３：目隠し部
４５：仕切壁部分（仕切壁）
５５：仕切壁部分（仕切壁）
【図１】
0005890657.tif 000002
【図２】
0005890657.tif 000003
【図３】
0005890657.tif 000004
【図４】
0005890657.tif 000005
【図５Ａ】
0005890657.tif 000006
【図５Ｂ】
0005890657.tif 000007
【図５Ｃ】
0005890657.tif 000008
【図５Ｄ】
0005890657.tif 000009
【図６】
0005890657.tif 000010
【図７Ａ】
0005890657.tif 000011
【図７Ｂ】
0005890657.tif 000012
【図８Ａ】
0005890657.tif 000013
【図８Ｂ】
0005890657.tif 000014
【図９】
0005890657.tif 000015
【図１０Ａ】
0005890657.tif 000016
【図１０Ｂ】
0005890657.tif 000017
【図１１】
0005890657.tif 000018
【図１２】
0005890657.tif 000019
【図１３Ａ】
0005890657.tif 000020
【図１３Ｂ】
0005890657.tif 000021